【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）において、第１の基地局から、共有無線周波数スペクトル帯域上で第１の通信を受信することと、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定することと、
前記決定することに少なくとも部分的に基づいて、前記第１の基地局に、前記共有無線周波数スペクトル帯域上で第２の通信を送信することと、前記第２の通信が前記アップリンク送信または前記ダウンリンク送信の承認を備える、
を備える、ワイヤレス通信の方法。
【請求項２】
前記第１の通信が前記許可前通信を備え、前記チャネル予約信号が、第２の基地局によって送信された送信用チャネル予約信号を備え、前記第２の通信が、受信用チャネル予約信号と前記ダウンリンク送信の前記承認とを備える、請求項１に記載の方法。
【請求項３】
前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、請求項２に記載の方法。
【請求項４】
前記第１の通信がアップリンクリソースの前記許可を備え、前記チャネル予約信号が、第２のＵＥによって送信された受信用チャネル予約信号を備え、前記第２の通信が、送信用チャネル予約信号と前記アップリンク送信とを備える、請求項１に記載の方法。
【請求項５】
前記受信用チャネル予約信号が検出されたと決定することと、
前記受信用チャネル予約信号に関連する予約時間が満了したと決定することと、
前記予約時間が満了していることに少なくとも部分的に基づいて、前記第２の通信を送信することと
をさらに備える、請求項４に記載の方法。
【請求項６】
前記第１の通信が前記許可前通信を備え、前記チャネル予約信号が、第２のＵＥまたはＷｉ−Ｆｉ送信機によって送信された送信用チャネル予約信号を備え、前記第２の通信が、受信用チャネル予約信号と前記ダウンリンク送信の前記承認とを備える、請求項１に記載の方法。
【請求項７】
前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、請求項６に記載の方法。
【請求項８】
前記第１の通信がアップリンクリソースの前記許可を備え、前記チャネル予約信号が、第２の基地局またはＷｉ−Ｆｉ受信機によって送信された受信用チャネル予約信号を備え、前記第２の通信が、送信用チャネル予約信号と前記アップリンク送信とを備える、請求項１に記載の方法。
【請求項９】
第１のユーザ機器（ＵＥ）において、第１の基地局から、共有無線周波数スペクトル帯域上で第１の通信を受信するための手段と、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定するための手段と、
前記決定することに少なくとも部分的に基づいて、前記第１の基地局に、前記共有無線周波数スペクトル帯域上で第２の通信を送信するための手段と、前記第２の通信が前記アップリンク送信または前記ダウンリンク送信の承認を備える、
を備える、ワイヤレス通信のための装置。
【請求項１０】
第１の基地局において、共有無線周波数スペクトル帯域上で送信用チャネル予約を検出することと、
前記送信用チャネル予約に少なくとも部分的に基づいて、前記共有無線周波数スペクトル帯域上で受信用チャネル予約信号が検出されたかどうかを決定することと、
前記決定することに少なくとも部分的に基づいて、第１のユーザ機器（ＵＥ）に、前記共有無線周波数スペクトル帯域上で通信を送信することと、前記通信が、ダウンリンク送信に関連する許可前通信またはアップリンク送信に関連するアップリンクリソースの許可を備える、
を備える、ワイヤレス通信の方法。
【請求項１１】
前記受信用チャネル予約信号が検出されなかったと決定することと、
前記受信用チャネル予約信号を検出しなかったことに少なくとも部分的に基づいて前記通信を送信することと
をさらに備える、請求項１０に記載の方法。
【請求項１２】
前記送信用チャネル予約が第２の基地局によって行われ、前記受信用チャネル予約信号が第２のＵＥによって送信される、または、
ここにおいて、前記送信用チャネル予約が第２のＵＥによって行われ、前記受信用チャネル予約信号が第２の基地局によって送信される、または
ここにおいて、前記送信用チャネル予約がＷｉ−Ｆｉ送信機によって行われ、前記受信用チャネル予約信号がＷｉ−Ｆｉ受信機によって送信される、請求項１０に記載の方法。
【請求項１３】
前記通信がアップリンクリソースの前記許可を備え、前記方法が、
前記送信用チャネル予約に関連する干渉レベルを決定することと、
前記干渉レベルに少なくとも部分的に基づいて、前記アップリンク送信中に前記第１のＵＥによって使用されるべき変調およびコーディング方式（ＭＣＳ）を識別することと、
前記通信を用いて前記ＭＣＳのインジケータを送信することと
をさらに備える、請求項１０に記載の方法。
【請求項１４】
前記通信がアップリンクリソースの前記許可を備え、前記方法が、
前記送信用チャネル予約の持続時間を決定することと、
アップリンクリソースの前記許可において、前記送信用チャネル予約の前記持続時間よりも短いアップリンク送信持続時間を示すことと
をさらに備える、請求項１０に記載の方法。
【請求項１５】
第１の基地局において、共有無線周波数スペクトル帯域上で送信用チャネル予約を検出するための手段と、
前記送信用チャネル予約に少なくとも部分的に基づいて、前記共有無線周波数スペクトル帯域上で受信用チャネル予約信号が検出されたかどうかを決定するための手段と、
前記決定することに少なくとも部分的に基づいて、第１のユーザ機器（ＵＥ）に、前記共有無線周波数スペクトル帯域上で通信を送信するための手段と、前記通信が、ダウンリンク送信に関連する許可前通信またはアップリンク送信に関連するアップリンクリソースの許可を備える、
を備える、ワイヤレス通信のための装置。
【手続補正２】
【補正対象書類名】明細書
【補正対象項目名】０２６２
【補正方法】変更
【補正の内容】
【０２６２】
[0273]本開示についての以上の説明は、当業者が本開示を作成または使用することができるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  第１のユーザ機器（ＵＥ）において、第１の基地局から、共有無線周波数スペクトル帯域上で第１の通信を受信することと、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定することと、
前記決定することに少なくとも部分的に基づいて、前記第１の基地局に、前記共有無線周波数スペクトル帯域上で第２の通信を送信することと、前記第２の通信が前記アップリンク送信または前記ダウンリンク送信の承認を備える、
を備える、ワイヤレス通信の方法。
[Ｃ２]  前記第１の通信が前記許可前通信を備え、前記チャネル予約信号が、第２の基地局によって送信された送信用チャネル予約信号を備え、前記第２の通信が、受信用チャネル予約信号と前記ダウンリンク送信の前記承認とを備える、Ｃ１に記載の方法。
[Ｃ３]  前記送信用チャネル予約信号が自己への送信可（ＣＴＳ）信号を備え、前記受信用チャネル予約信号がＣＴＳ信号を備え、前記ダウンリンク送信の前記承認が許可前肯定応答（ＡＣＫ）信号を備える、Ｃ２に記載の方法。
[Ｃ４]  前記送信用チャネル予約信号が検出されなかったと決定することと、
前記送信用チャネル予約信号を検出しなかったことに少なくとも部分的に基づいて前記第２の通信を送信することと
をさらに備える、Ｃ２に記載の方法。
[Ｃ５]  前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、Ｃ２に記載の方法。
[Ｃ６]  前記送信用チャネル予約信号が検出されたと決定することと、
前記送信用チャネル予約信号に関連する干渉レベルがしきい値干渉レベルを下回ると決定することと、
前記ダウンリンク送信の変調およびコーディング方式（ＭＣＳ）を調整するために、前記干渉レベルに少なくとも部分的に基づいて、チャネル品質インジケータ（ＣＱＩ）フィードバックをコンパイルすることと、
前記干渉レベルが前記しきい値干渉レベルを下回ることに少なくとも部分的に基づいて、前記第２の通信を送信することと、前記第２の通信が前記ＣＱＩフィードバックをさらに備える、
をさらに備える、Ｃ２に記載の方法。
[Ｃ７]  前記第２の通信を送信することの後に、前記共有無線周波数スペクトル帯域上で前記ダウンリンク送信を前記第１の基地局から受信すること
をさらに備える、Ｃ２に記載の方法。
[Ｃ８]  前記第１の通信がアップリンクリソースの前記許可を備え、前記チャネル予約信号が、第２のＵＥによって送信された受信用チャネル予約信号を備え、前記第２の通信が、送信用チャネル予約信号と前記アップリンク送信とを備える、Ｃ１に記載の方法。
[Ｃ９]  前記受信用チャネル予約信号がＣＴＳ信号を備え、前記送信用チャネル予約信号が、前記アップリンク送信の持続時間を示す長さフィールドを有するＷｉ−Ｆｉプリアンブルを備える、Ｃ８に記載の方法。
[Ｃ１０]  前記受信用チャネル予約信号が検出されなかったと決定することと、
前記受信用チャネル予約信号を検出しなかったことに少なくとも部分的に基づいて前記第２の通信を送信することと
をさらに備える、Ｃ８に記載の方法。
[Ｃ１１]  前記受信用チャネル予約信号が検出されたと決定することと、
前記受信用チャネル予約信号に関連する予約時間が満了したと決定することと、
前記予約時間が満了していることに少なくとも部分的に基づいて、前記第２の通信を送信することと
をさらに備える、Ｃ８に記載の方法。
[Ｃ１２]  前記第１の通信が前記許可前通信を備え、前記チャネル予約信号が、第２のＵＥまたはＷｉ−Ｆｉ送信機によって送信された送信用チャネル予約信号を備え、前記第２の通信が、受信用チャネル予約信号と前記ダウンリンク送信の前記承認とを備える、Ｃ１に記載の方法。
[Ｃ１３]  前記送信用チャネル予約信号がＷｉ−Ｆｉプリアンブルまたは送信要求（ＲＴＳ）信号のうちの少なくとも１つを備え、前記受信用チャネル予約信号が送信可（ＣＴＳ）信号を備え、前記ダウンリンク送信の前記承認が許可前肯定応答（ＡＣＫ）信号を備える、Ｃ１２に記載の方法。
[Ｃ１４]  前記送信用チャネル予約信号が検出されなかったと決定することと、
前記送信用チャネル予約信号を検出しなかったことに少なくとも部分的に基づいて前記第２の通信を送信することと
をさらに備える、Ｃ１２に記載の方法。
[Ｃ１５]  前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、Ｃ１２に記載の方法。
[Ｃ１６]  前記送信用チャネル予約信号が検出されたと決定することと、
前記送信用チャネル予約信号に関連する干渉レベルがしきい値干渉レベルを下回ると決定することと、
前記ダウンリンク送信の変調およびコーディング方式（ＭＣＳ）を調整するために、前記干渉レベルに少なくとも部分的に基づいて、ＣＱＩフィードバックをコンパイルすることと、
前記干渉レベルが前記しきい値干渉レベルを下回ることに少なくとも部分的に基づいて、前記第２の通信を送信することと、前記第２の通信が前記ＣＱＩフィードバックをさらに備える、
をさらに備える、Ｃ１２に記載の方法。
[Ｃ１７]  前記第２の通信を送信することの後に、前記共有無線周波数スペクトル帯域上で前記ダウンリンク送信を前記第１の基地局から受信すること
をさらに備える、Ｃ１２に記載の方法。
[Ｃ１８]  前記第１の通信がアップリンクリソースの前記許可を備え、前記チャネル予約信号が、第２の基地局またはＷｉ−Ｆｉ受信機によって送信された受信用チャネル予約信号を備え、前記第２の通信が、送信用チャネル予約信号と前記アップリンク送信とを備える、Ｃ１に記載の方法。
[Ｃ１９]  前記受信用チャネル予約信号がＣＴＳ−ｔｏ−ｓｅｌｆ信号またはＣＴＳ信号を備え、前記送信用チャネル予約信号が、前記アップリンク送信の持続時間を示す長さフィールドを有するＷｉ−Ｆｉプリアンブルを備える、Ｃ１８に記載の方法。
[Ｃ２０]  前記受信用チャネル予約信号が検出されなかったと決定することと、
前記受信用チャネル予約信号を検出しなかったことに少なくとも部分的に基づいて前記第２の通信を送信することと
をさらに備える、Ｃ１８に記載の方法。
[Ｃ２１]  前記受信用チャネル予約信号が検出されたと決定することと、
前記受信用チャネル予約信号に関連する予約時間が満了したと決定することと、
前記予約時間が満了していることに少なくとも部分的に基づいて、前記第２の通信を送信することと
をさらに備える、Ｃ１８に記載の方法。
[Ｃ２２]  第１のユーザ機器（ＵＥ）において、第１の基地局から、共有無線周波数スペクトル帯域上で第１の通信を受信するための手段と、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定するための手段と、
前記決定することに少なくとも部分的に基づいて、前記第１の基地局に、前記共有無線周波数スペクトル帯域上で第２の通信を送信するための手段と、前記第２の通信が前記アップリンク送信または前記ダウンリンク送信の承認を備える、
を備える、ワイヤレス通信のための装置。
[Ｃ２３]  第１の基地局において、共有無線周波数スペクトル帯域上で送信用チャネル予約を検出することと、
前記送信用チャネル予約に少なくとも部分的に基づいて、前記共有無線周波数スペクトル帯域上で受信用チャネル予約信号が検出されたかどうかを決定することと、
前記決定することに少なくとも部分的に基づいて、第１のユーザ機器（ＵＥ）に、前記共有無線周波数スペクトル帯域上で通信を送信することと、前記通信が、ダウンリンク送信に関連する許可前通信またはアップリンク送信に関連するアップリンクリソースの許可を備える、
を備える、ワイヤレス通信の方法。
[Ｃ２４]  前記受信用チャネル予約信号が検出されなかったと決定することと、
前記受信用チャネル予約信号を検出しなかったことに少なくとも部分的に基づいて前記通信を送信することと
をさらに備える、Ｃ２３に記載の方法。
[Ｃ２５]  前記送信用チャネル予約が第２の基地局によって行われ、前記受信用チャネル予約信号が第２のＵＥによって送信される、Ｃ２３に記載の方法。
[Ｃ２６]  前記送信用チャネル予約が第２のＵＥによって行われ、前記受信用チャネル予約信号が第２の基地局によって送信される、Ｃ２３に記載の方法。
[Ｃ２７]  前記送信用チャネル予約がＷｉ−Ｆｉ送信機によって行われ、前記受信用チャネル予約信号がＷｉ−Ｆｉ受信機によって送信される、Ｃ２３に記載の方法。
[Ｃ２８]  前記通信がアップリンクリソースの前記許可を備え、前記方法が、
前記送信用チャネル予約に関連する干渉レベルを決定することと、
前記干渉レベルに少なくとも部分的に基づいて、前記アップリンク送信中に前記第１のＵＥによって使用されるべき変調およびコーディング方式（ＭＣＳ）を識別することと、  前記通信を用いて前記ＭＣＳのインジケータを送信することと
をさらに備える、Ｃ２３に記載の方法。
[Ｃ２９]  前記通信がアップリンクリソースの前記許可を備え、前記方法が、
前記送信用チャネル予約の持続時間を決定することと、
アップリンクリソースの前記許可において、前記送信用チャネル予約の前記持続時間よりも短いアップリンク送信持続時間を示すことと
をさらに備える、Ｃ２３に記載の方法。
[Ｃ３０]  第１の基地局において、共有無線周波数スペクトル帯域上で送信用チャネル予約を検出するための手段と、
前記送信用チャネル予約に少なくとも部分的に基づいて、前記共有無線周波数スペクトル帯域上で受信用チャネル予約信号が検出されたかどうかを決定するための手段と、
前記決定することに少なくとも部分的に基づいて、第１のユーザ機器（ＵＥ）に、前記共有無線周波数スペクトル帯域上で通信を送信するための手段と、前記通信が、ダウンリンク送信に関連する許可前通信またはアップリンク送信に関連するアップリンクリソースの許可を備える、
を備える、ワイヤレス通信のための装置。